(57)【要約】本発明は、水位センサーが装着されたワォッシャ液用モーターポンプに関し、より詳細にはワォッシャ液筒に貯蔵されているワォッシャ液の残量を感知して感知信号を出力する水位センサーをワォッシャ液用モーターポンプに一体型で装着することによって、運転者がワォッシャ液の残量を車両の計器盤を介して確認できてワォッシャ液が足りない場合、補充でき、ワォッシャ液筒にモーターポンプとセンサーが別々に分離されて配線連結されるために配線の作業性が落ちる従来の問題点を解決しようとワォッシャ液用モーターポンプに水位センサーを一体型で装着することによって、配線の作業性が容易であることはもちろん、配線を簡素化して不良率を減少させることができ、ワォッシャ液用モーターポンプと水位センサーとを一体型で製作することによって、製作費用を節減させることができ、ワォッシャ液の残量を感知して感知信号を出力する水位センサーが、マグネットとホールセンサーとの組み合わせ、マグネットとリードスイッチとの組み合わせ、ホールセンサーとマグネットが付着された浮力装置との組み合わせ中いずれか一つを選択して製作されることによって、磁気センサータイプで信頼性を有するホールセンサーを使用して性能向上をもたらすことができる水位センサーが付着されたワォッシャ液用モーターポンプに関する。 【選択図】図１
2017536498.tif 000002
【特許請求の範囲】
【請求項１】
水位センサーが装着されたワォッシャ液用モーターポンプにおいて、
モーターポンプの構成部品を保護するケースと；
前記モーターポンプに電気を供給する電源コネクターと；
前記電源コネクターから電気の供給を受けて駆動されて、ワォッシャ液筒に貯蔵されているワォッシャ液が吸引口を介して吸入されたり、吐出口を介して吐出するようファンを回転させるモーターアセンブリーと；
前記モーターアセンブリーの駆動によって回転するファンと；
前記ファンが装着されるポンピングケースの周り下端部に形成されているワォッシャ液が吸引される吸引口の管、または、ポンピングケースの周り側面部に形成されているワォッシャ液が吐出される吐出口の管に挿入されて、マグネットとホールセンサーとの組み合わせと、マグネットとリードスイッチとの組み合わせ中いずれか一つでワォッシャ液の残量を感知して感知信号を出力する水位センサーと；を備えることを特徴とする水位センサーが装着されたワォッシャ液用モーターポンプ。
【請求項２】
前記ケースは、モーターカバーの上端部と結合され、電源コネクターを取り囲む電源コネクターケースと；前記電源コネクターケースの下端部と結合され、ポンピングケース上端部と結合されて、モーターアセンブリーを保護するモーターカバーと；前記モーターカバーの下端部と結合され、ファンを取り囲みワォッシャ液の吸引口と吐出口が形成されているポンピングケース; を含むことを特徴とする請求項１に記載の水位センサーが装着されたワォッシャ液用モーターポンプ。
【請求項３】
前記モーターアセンブリーとファンとの間と、ホールセンサーとマグネットとの間にゴムパッキングが挿入され、またはモーターアセンブリーとファンとの間と、ポンピングケースの周り下端部にゴムパッキングが挿入されて気密を維持させることを特徴とする請求項１に記載の水位センサーが装着されたワォッシャ液用モーターポンプ。
【請求項４】
前記ワォッシャ液が吸引される吸引口の管に挿入される浮力マグネットの下端部が固定されて抜けないよう吸引口の管にステップが形成されていることを特徴とする請求項１に記載の水位センサーが装着されたワォッシャ液用モーターポンプ。
【請求項５】
水位センサーが装着されたワォッシャ液用モーターポンプにおいて、
ポンピングケースの上端部と結合され、電源コネクターを取り囲む電源コネクターケースと；
前記モーターポンプに電気を供給する電源コネクターと；
前記電源コネクターから電気の供給を受けて駆動されて、ワォッシャ液筒に貯蔵されているワォッシャ液が吸引口を介して吸入されたり、吐出口を介して吐出するようファンを回転させるモーターアセンブリーと；
前記モーターアセンブリーの駆動によって回転するファンと；
前記モーターアセンブリーと前記ファンが装着されるポンピングケースの下端周り側面部に形成されているワォッシャ液が吸引される吸引口の管に挿入されて、ホールセンサーと、ヒンジによりマグネットが連結される浮力装置の組み合わせでワォッシャ液の残量を感知して感知信号を出力する水位センサーと；を備えることを特徴とする水位センサーが装着されたワォッシャ液用モーターポンプ。
【請求項６】
前記ホールセンサーは、磁場下に電気抵抗が変化する磁気センサーの一種であり、ＩｎＳｂ、ＩｎＡｓ、ＧａＡｓ中の半導体ホール素子を使用することを特徴とする請求項１または５に記載の水位センサーが付着されたワォッシャ液用モーターポンプ。
【発明の詳細な説明】
【技術分野】
【０００１】
本発明は、ワォッシャ液筒に貯蔵されているワォッシャ液の残量を感知して感知信号を出力する水位センサーをワォッシャ液用モーターポンプに一体型で装着することによって、運転者がワォッシャ液の残量を車両の計器盤を介して確認できてワォッシャ液が足りない場合、補充でき、ワォッシャ液筒にモーターポンプとセンサーが別々に分離されて配線連結されるために配線の作業性が落ちる従来の問題点を解決しようとワォッシャ液用モーターポンプに水位センサーを一体型で装着することによって、配線の作業性が容易であることはもちろん、配線を簡素化して不良率を減少させることができ、ワォッシャ液用モーターポンプと水位センサーとを一体型で製作することによって、製作費用を節減させることができ、ワォッシャ液の残量を感知して感知信号を出力する水位センサーが、マグネットとホールセンサーとの組み合わせ、マグネットとリードスイッチとの組み合わせ、ホールセンサーとマグネットが付着された浮力装置との組み合わせ中いずれか一つを選択して製作されることによって、磁気センサータイプで信頼性を有するホールセンサーを使用して性能向上をもたらすことができる水位センサーが付着されたワォッシャ液用モーターポンプに関する技術である。
【背景技術】
【０００２】
一般に車の運転席には車両の各部分を制御するように様々装置が集中設置されているところ、特に操向のためにステアリングホイールが設置されていて、速度計、温度計、燃料計などが集中した計器盤が設置されている。
【０００３】
前記ステアリングホイールの側面には全面ガラスに設置されたワイパーを作動させると共に、ワォッシャ液（または、ワイパー液）を噴出してワイパーの速度調節などを行うようマルチファンクションスイッチが設置されているところ、前記マルチファンクションスイッチによってワイパーモーターを作動させてワイパーが全面ガラスを拭くようになる。
【０００４】
また、車両のワイパー駆動装置は、ワイパーを駆動させて全面ガラスに挟まった埃や雪または雨などを除去して運転者が走行中に前方視野を確保することができるようにする装置であり、この装置にワォッシャ液を供給する機能をモーターポンプが行っている。
【０００５】
ところで、従来技術の場合、ワォッシャ液筒にモーターポンプとセンサーが別々に分離されて配線連結されるため、配線の作業性が落ちて、製作費用が上昇する問題点があり、また、センサーがワォッシャ液筒に直接固定されていて不良率を増加させる原因となっている。
【０００６】
また、大韓民国公開特許１９９７−００４０２０６（１９９７年７月２４日公開）は、ワイパー用冷水、温水供給装置を開示しているが、冬季に車の全面ガラスに霜が挟まったり、また全面ガラスに埃が挟まっていたり雪がある時、ワォッシャ液が足りない場合、使用者が直接車の全面ガラスに挟まっている霜、埃および雪を取り除かなければならない問題点があった。
【０００７】
従って、ワォッシャ液筒に貯蔵されているワォッシャ液の残量を感知して、感知信号を出力する水位センサーをワォッシャ液用モーターポンプに一体型で装着することによって、運転者がワォッシャ液の残量を車両の計器盤を介して確認できてワォッシャ液が足りない場合、補充できて、ワォッシャ液用モーターポンプに水位センサーを一体型で装着するため、配線の作業性が容易であることはもちろん、配線を簡素化して不良率を減少させることができ、ワォッシャ液の残量を感知して感知信号を出力する水位センサーがマグネットとホールセンサーとの組み合わせ、マグネットとリードスイッチとの組み合わせ、ホールセンサーとマグネットが付着された浮力装置との組み合わせ中いずれか一つで製作されることによって、磁気センサータイプで信頼性を有するホールセンサーを使用して性能向上をもたらすことができる水位センサーが付着されたワォッシャ液用モーターポンプの開発が切に求められている実情である。
【発明の概要】
【発明が解決しようとする課題】
【０００８】
従って、本発明の目的は、前記のような問題点を解決しようと着目したものとして、ワォッシャ液筒に貯蔵されているワォッシャ液の残量を感知して感知信号を出力する水位センサーをワォッシャ液用モーターポンプに一体型で装着することによって、運転者がワォッシャ液の残量を車両の計器盤を介して確認できてワォッシャ液が足りない場合、補充できる水位センサーが付着されたワォッシャ液用モーターポンプを提供するところにある。
【０００９】
本発明の他の目的は、ワォッシャ液筒にモーターポンプとセンサーが別々に分離されて配線連結されるため、配線の作業性が落ちる従来の問題点を解決しようとワォッシャ液用モーターポンプに水位センサーを一体型で装着することによって、配線の作業性が容易であることはもちろん、配線を簡素化して不良率を減少させることができる水位センサーが付着されたワォッシャ液用モーターポンプを提供するところにある。
【００１０】
本発明のさらに他の目的は、ワォッシャ液用モーターポンプと水位センサーとを一体型で製作することによって、製作費用を節減させることができる水位センサーが付着されたワォッシャ液用モーターポンプを提供するところにある。
【００１１】
本発明のさらに他の目的は、ワォッシャ液の残量を感知して感知信号を出力する水位センサーが、マグネットとホールセンサーとの組み合わせ、マグネットとリードスイッチとの組み合わせ、ホールセンサーとマグネットが付着された浮力装置との組み合わせ中いずれか一つを選択して製作されることによって、磁気センサータイプで信頼性を有するホールセンサーを使用して性能向上をもたらすことができる水位センサーが付着されたワォッシャ液用モーターポンプを提供するところにある。
【課題を解決するための手段】
【００１２】
前記目的を達成するための本発明の好ましい一実施形態に係る水位センサーが付着されたワォッシャ液用モーターポンプは、モーターポンプの構成部品を保護するケースと；前記モーターポンプに電気を供給する電源コネクターと；前記電源コネクターから電気の供給を受けて駆動されて、ワォッシャ液筒に貯蔵されているワォッシャ液が吸引口を介して吸入されたり、吐出口を介して吐出するようファンを回転させるモーターアセンブリーと；前記モーターアセンブリーの駆動によって回転するファンと；前記ファンが装着されるポンピングケースの周り下端部に形成されているワォッシャ液が吸引される吸引口の管またはポンピングケースの周り側面部に形成されているワォッシャ液が吐出される吐出口の管に挿入されて、マグネットとホールセンサーとの組み合わせと、マグネットとリードスイッチとの組み合わせ中いずれか一つでワォッシャ液の残量を感知して感知信号を出力する水位センサーと；を備えることを特徴とする。 
【００１３】
本発明において、前記ケースは、モーターカバーの上端部と結合され、電源コネクターを取り囲む電源コネクターケースと；前記電源コネクターケースの下端部と結合され、ポンピングケース上端部と結合されて、モーターアセンブリーを保護するモーターカバーと；前記モーターカバーの下端部と結合され、ファンを取り囲みワォッシャ液の吸引口と吐出口が形成されているポンピングケース; を含むことを特徴とする。
【００１４】
本発明において、前記モーターアセンブリーとファンとの間と、ホールセンサーとマグネットとの間にゴムパッキングが挿入されたり、またはモーターアセンブリーとファンとの間と、ポンピングケースの周り下端部にゴムパッキングが挿入されて気密を維持させることを特徴とする。
【００１５】
本発明において、前記ワォッシャ液が吸引される吸引口の管に挿入される浮力マグネットの下端部が固定されて抜けないよう吸引口の管にステップが形成されていることを特徴とする。
【００１６】
また、前記目的を達成するための本発明の好ましい他の一実施形態に係る水位センサーが付着されたワォッシャ液用モーターポンプは、ポンピングケースの上端部と結合され、電源コネクターを取り囲む電源コネクターケースと；前記モーターポンプに電気を供給する電源コネクターと；前記電源コネクターから電気の供給を受けて駆動されて、ワォッシャ液筒に貯蔵されているワォッシャ液が吸引口を介して吸入されたり、吐出口を介して吐出するようファンを回転させるモーターアセンブリーと；前記モーターアセンブリーの駆動によって回転するファンと；前記モーターアセンブリーとファンが装着されるポンピングケースの下端周り側面部に形成されているワォッシャ液が吸引される吸引口の管に挿入されて、ホールセンサーと、ヒンジによりマグネットが連結される浮力装置の組み合わせでワォッシャ液の残量を感知して感知信号を出力する水位センサーと；を備えることを特徴とする。
【００１７】
本発明において、前記ホールセンサーは、磁場下に電気抵抗が変化する磁気センサーの一種であり、ＩｎＳｂ、ＩｎＡｓ、ＧａＡｓ中の半導体ホール素子を使用することを特徴とする。
【発明の効果】
【００１８】
より詳細には、本発明に係る水位センサーが付着されたワォッシャ液用モーターポンプは次のような効果を有する。
第一に、本発明は、ワォッシャ液筒に貯蔵されているワォッシャ液の残量を感知して感知信号を出力する水位センサーをワォッシャ液用モーターポンプに一体型で装着することによって、運転者がワォッシャ液の残量を車両の計器盤を介して確認できてワォッシャ液が足りない場合、補充できる。
第二に、本発明は、ワォッシャ液筒にモーターポンプとセンサーが別々に分離されて配線連結されるために配線の作業性が落ちる従来の問題点を解決しようとワォッシャ液用モーターポンプに水位センサーを一体型で装着することによって、配線の作業性が容易であることはもちろん、配線を簡素化して不良率を減少させることができる。
第三に、本発明は、ワォッシャ液用モーターポンプと水位センサーとを一体型で製作することによって、製作費用を節減させることができる。
第四に、本発明は、ワォッシャ液の残量を感知して感知信号を出力する水位センサーが、マグネットとホールセンサーとの組み合わせ、マグネットとリードスイッチとの組み合わせ、ホールセンサーとマグネットが付着された浮力装置との組み合わせ中いずれか一つを選択して製作されることによって、磁気センサータイプで信頼性を有するホールセンサーを使用して性能向上をもたらすことができる。
【図面の簡単な説明】
【００１９】
【図１】本発明の一実施形態に係るワォッシャ液筒に装着されるワォッシャ液用モーターポンプに付着する水位センサーが、ポンピングケースの側面の管に装着された形状を示した図面。
【図２】本発明の一実施形態に係るワォッシャ液筒に装着されるワォッシャ液用モーターポンプに付着する水位センサーが、ポンピングケースの側面の管に装着された場合において、ワォッシャ液警告灯の未作動状態（ａ）と作動状態（ｂ）を示した図面。
【図３】本発明の一実施形態に係る水位センサーが付着されたワォッシャ液用モーターポンプの構成部品を分解して示した図面。
【図４】本発明の一実施形態に係るワォッシャ液筒に装着されるワォッシャ液用モーターポンプに付着する水位センサーが、ポンピングケース下端の管に装着された形状を示した図面。
【図５】本発明の一実施形態に係るワォッシャ液筒に装着されるワォッシャ液用モーターポンプに付着する水位センサーが、ポンピングケース下端の管に装着された場合において、ワォッシャ液警告灯の未作動状態（ａ）と作動状態（ｂ）を示した図面。
【図６】本発明の一実施形態に係る水位センサーが付着されたワォッシャ液用モーターポンプの構成部品を分解して示した図面。
【図７】本発明の他の一実施形態に係るワォッシャ液筒に装着されるワォッシャ液用モーターポンプに付着する水位センサーが、ワォッシャ液が吸引されるモーターカバーの分岐管に装着された形状を示した図面。
【図８】本発明の一実施形態に係るワォッシャ液筒に装着されるワォッシャ液用モーターポンプに付着する水位センサーが、ワォッシャ液が吸引されるモーターカバーの分岐管に装着された場合において、ワォッシャ液警告灯の未作動状態（ａ）と作動状態（ｂ）を示した図面。
【図９】本発明の他の一実施形態に係る水位センサーが付着されたワォッシャ液用モーターポンプの構成部品を分解して示した図面。
【発明を実施するための形態】
【００２０】
以下、添付図面に基づき、本発明の好適な実施形態を説明する。本発明を説明するに当たって、関連する公知技術又は構成についての具体的な説明が本発明の要旨を余計に曖昧にする虞があると判断される場合には、その詳細な説明は省き、後述する用語は、本発明における機能を考慮して定義された用語であり、これは、ユーザー、運用者の意図または慣例などによって異なってくるため、その定義は、本発明に係る水位センサーが付着されたワォッシャ液用モーターポンプを説明する本明細書の全般に亘っての内容を踏まえて下されるべきである。
【００２１】
以下、本発明の好ましい一実施形態に係る水位センサーが付着されたワォッシャ液用モーターポンプを、添付された図面を参照して詳細に説明する。
【００２２】
図１は、本発明の一実施形態に係るワォッシャ液筒に装着されるワォッシャ液用モーターポンプに付着する水位センサーが、ポンピングケースの側面の管に装着された形状を示した図面であり、図２は、本発明の一実施形態に係るワォッシャ液筒に装着されるワォッシャ液用モーターポンプに付着する水位センサーが、ポンピングケースの側面の管に装着された場合において、ワォッシャ液警告灯の未作動状態（ａ）と作動状態（ｂ）を示した図面であり、図３は、本発明の一実施形態に係る水位センサーが付着されたワォッシャ液用モーターポンプの構成部品を分解して示した図面であり、図４は、本発明の一実施形態に係るワォッシャ液筒に装着されるワォッシャ液用モーターポンプに付着する水位センサーが、ポンピングケース下端の管に装着された形状を示した図面であり、図５は、本発明の一実施形態に係るワォッシャ液筒に装着されるワォッシャ液用モーターポンプに付着する水位センサーが、ポンピングケース下端の管に装着された場合において、ワォッシャ液警告灯の未作動状態（ａ）と作動状態（ｂ）を示した図面であり、図６は、本発明の一実施形態に係る水位センサーが付着されたワォッシャ液用モーターポンプの構成部品を分解して示した図面であり、図７は、本発明の他の一実施形態に係るワォッシャ液筒に装着されるワォッシャ液用モーターポンプに付着する水位センサーが、ワォッシャ液が吸引されるモーターカバーの分岐管に装着された形状を示した図面であり、図８は、本発明の一実施形態に係るワォッシャ液筒に装着されるワォッシャ液用モーターポンプに付着する水位センサーが、ワォッシャ液が吸引されるモーターカバーの分岐管に装着された場合において、ワォッシャ液警告灯の未作動状態（ａ）と作動状態（ｂ）を示した図面であり、図９は、本発明の他の一実施形態に係る水位センサーが付着されたワォッシャ液用モーターポンプの構成部品を分解して示した図面である。
【００２３】
本発明に係る水位センサーが付着されたワォッシャ液用モーターポンプ１００は、電源コネクターケース１０、電源コネクター１１、モーターアセンブリー２０、ゴムパッキング３０、モーターカバー４０、ファン５０、ポンピングケース６０、吸引口６１、吐出口６２、ステップ６３、ホールセンサー７０、マグネット８０、浮力装置９０、ヒンジ９１等で構成される。
【００２４】
図１〜図６に示したように、本発明に係る水位センサーが付着されたワォッシャ液用モーターポンプ１００は、モーターポンプ１００の構成部品を保護するケース１０、４０、６０と；前記モーターポンプ１００に電気を供給する電源コネクター１１と；前記電源コネクター１１から電気の供給を受けて駆動されて、ワォッシャ液筒（Ａ）に貯蔵されているワォッシャ液が吸引口６１を介して吸入されたり、吐出口６２を介して吐出するようファン５０を回転させるモーターアセンブリー２０と；前記モーターアセンブリー２０の駆動によって回転するファン５０と；前記ファン５０が装着されるポンピングケース６０の周り下端部に形成されているワォッシャ液が吸引される吸引口６１の管またはポンピングケース６０の周り側面部に形成されているワォッシャ液が吐出される吐出口６２の管に挿入されて、マグネット８０とホールセンサー７０との組み合わせと、マグネット８０とリードスイッチ７１との組み合わせ中いずれか一つでワォッシャ液の残量を感知して感知信号を出力する水位センサー７０、８０と；を備える。
【００２５】
前記本発明に係る水位センサーが付着されたワォッシャ液用モーターポンプを構成する各技術的手段の機能を説明すると下記のとおりである。
【００２６】
前記ケース１０、４０、６０は、モーターポンプ１００の構成部品を保護するものである。ここで、前記ケースは、モーターカバー４０の上端部と結合され、電源コネクター１１を取り囲む電源コネクターケース１０と；前記電源コネクターケース１０の下端部と結合され、ポンピングケース６０の上端部と結合されて、モーターアセンブリー２０を保護するモーターカバー４０と；前記モーターカバー４０の下端部と結合され、ファン５０を取り囲みワォッシャ液の吸引口６１と吐出口６２が形成されているポンピングケース６０を含む。
【００２７】
前記電源コネクター１１は、 前記モーターポンプ１００に電気を供給するものである。
【００２８】
前記モーターアセンブリー２０は、前記電源コネクター１１から電気の供給を受けて駆動されて、ワォッシャ液筒（Ａ）に貯蔵されているワォッシャ液が吸引口６１を介して吸入されたり、吐出口６２を介して吐出するようファン５０を回転させるものである。
【００２９】
前記ファン５０は、前記モーターアセンブリー２０の駆動によって回転するものである。
【００３０】
前記水位センサー７０、８０は、前記ファン５０が装着されるポンピングケース６０の周り下端部に形成されているワォッシャ液が吸引される吸引口６１の管またはポンピングケース６０の周り側面部に形成されているワォッシャ液が吐出される吐出口６２の管に挿入されて、マグネット８０とホールセンサー７０との組み合わせと、マグネット８０とリードスイッチ７１との組み合わせ中いずれか一つでワォッシャ液の残量を感知して感知信号を出力するものである。ここで、前記ホールセンサー７０は、磁場下に電気抵抗が変化する磁気センサーの一種であり、ＩｎＳｂ、ＩｎＡｓ、ＧａＡｓ中の半導体ホール素子を使用するものであり、前記半導体ホール素子は、磁気抵抗素子にも代替が可能である。
【００３１】
また、前記モーターアセンブリー２０とファン５０との間と、ホールセンサー７０とマグネット８０との間にゴムパッキング３０が挿入されたり、またはモーターアセンブリー２０とファン５０との間と、ポンピングケース６０の周り下端部にゴムパッキング３０が挿入されて気密を維持させるものである。
【００３２】
図５に示したように、前記ワォッシャ液が吸引される吸引口６１の管に挿入される浮力マグネット８０の下端部が固定されて抜けないよう吸引口６１の管にステップ６３を形成している。
【００３３】
図１〜図３に示したように、ワォッシャ液筒に装着されるワォッシャ液用モーターポンプに付着する水位センサーが、ポンピングケースの側面の管に装着された場合、ワォッシャ液用モーターポンプ１００でワォッシャ液筒の水位を感知する原理を考察すると、ワォッシャ液警告灯の未作動状態（図２（ａ））の場合には、ワォッシャ液筒（Ａ）と連結されているモーターポンプ１００の吸引口６１の管に流入したワォッシャ液によってホールセンサー７０とマグネット８０が浮力によって離れていて、ワォッシャ液警告灯の作動状態（図２（ｂ））の場合には、ワォッシャ液筒（Ａ）のワォッシャ液の水位が低くなってホールセンサー７０が作動して、この時、マグネット８０が移動してホールセンサー７０と接触する。このように、ワォッシャ液の量に応じて移動するマグネット８０の位置をホールセンサー７０が感知した後、この感知信号が電気信号で出力されるため、ワォッシャ液が足りないことをワォッシャ液警告灯を介して知ることができる。また、リードスイッチ７１でも、ホールセンサーと同様にワォッシャ液が足りないことをワォッシャ液警告灯を介して知ることができる。
【００３４】
また、図４〜図６に示したように、ワォッシャ液筒に装着されるワォッシャ液用モーターポンプに付着する水位センサーが、ポンピングケースの下端部の管に装着された場合、ワォッシャ液用モーターポンプ１００でワォッシャ液筒の水位を感知する原理を考察すると、ワォッシャ液警告灯の未作動状態（図５（ａ））の場合にはワォッシャ液筒（Ａ）と連結されているモーターポンプ１００の吸引口６１の管に流入したワォッシャ液によってホールセンサー７０とマグネット８０が一体型で結合されていて、ワォッシャ液警告灯の作動状態（図５（ｂ））の場合になると、ワォッシャ液筒（Ａ）のワォッシャ液の水位が低くなると共に、ホールセンサー７０の作動が切れることになって、この時、マグネット８０が吸引口６１の入口方向に移動して一体型のホールセンサー７０と分離される。このように、ワォッシャ液の量に応じて移動するマグネット８０の位置をホールセンサー７０が感知した後、この感知信号が電気信号で出力されるため、ワォッシャ液が足りないことをワォッシャ液警告灯を介して知ることができる。また、リードスイッチ７でも、ホールセンサーと同様にワォッシャ液が足りないことをワォッシャ液警告灯を介して知ることができる。
【００３５】
また、図７〜図９に示したように、本発明に係る水位センサーが付着されたワォッシャ液用モーターポンプ１００は、ポンピングケース６０の上端部と結合され、電源コネクター１１を取り囲む電源コネクターケース１０と；前記モーターポンプ１００に電気を供給する電源コネクター１１と；前記電源コネクター１１から電気の供給を受けて駆動されて、ワォッシャ液筒（Ａ）に貯蔵されているワォッシャ液が吸引口６１を介して吸入されたり、吐出口６２を介して吐出するようファン５０を回転させるモーターアセンブリー２０と；前記モーターアセンブリー２０の駆動によって回転するファン５０と；前記モーターアセンブリー２０とファン５０が装着されるポンピングケース６０の下端周り側面部に形成されているワォッシャ液が吸引される吸引口６１の管に挿入されて、ホールセンサー７０と、ヒンジ９１によりマグネット８０が連結される浮力装置９０の組み合わせでワォッシャ液の残量を感知して感知信号を出力する水位センサー７０、８０、９０と；を備える。
【００３６】
前記本発明に係る水位センサーが付着されたワォッシャ液用モーターポンプを構成する各技術的手段の機能を説明すると下記のとおりである。
【００３７】
前記電源コネクターケース１０は、ポンピングケース６０の上端部と結合され、電源コネクター１１を取り囲むものである。
【００３８】
前記電源コネクター１１は、前記モーターポンプ１００に電気を供給するものである。
【００３９】
前記モーターアセンブリー２０は、前記電源コネクター１１から電気の供給を受けて駆動されて、ワォッシャ液筒（Ａ）に貯蔵されているワォッシャ液が吸引口６１を介して吸入されたり、吐出口６２を介して吐出するようファン５０を回転させるものである。
【００４０】
前記ファン５０は、前記モーターアセンブリー２０の駆動によって回転するものである。
【００４１】
前記水位センサー７０、８０、９０は、前記モーターアセンブリー２０とファン５０が装着されるポンピングケース６０の下端周り側面部に形成されているワォッシャ液が吸引される吸引口６１の管に挿入されて、ホールセンサー７０と、ヒンジ９１によりマグネット８０が連結される浮力装置９０の組み合わせでワォッシャ液の残量を感知して感知信号を出力するするものである。
【００４２】
図７〜図９に示したように、ワォッシャ液筒に装着されるワォッシャ液用モーターポンプに付着する水位センサーが、ワォッシャ液が吸引されるモーターカバーの分岐管に装着された場合、ワォッシャ液用モーターポンプ１００でワォッシャ液筒の水位を感知する原理を考察すると、ワォッシャ液警告灯の未作動状態（図８（ａ））の場合には、ワォッシャ液筒（Ａ）と連結されているモーターポンプ１００の吸引口６１の管に流入したワォッシャ液によってヒンジ９１によりマグネット８０と連結される浮力装置９０が上側方向に移動してマグネット８０がホールセンサー７０と離れて、ワォッシャ液警告灯の作動状態（図８（ｂ））の場合になると、ワォッシャ液筒（Ａ）のワォッシャ液の水位が低くなると共に、ホールセンサー７０が作動して、この時、ヒンジ９１によりマグネット８０と連結される浮力装置９０が上側方向に移動してマグネット８０がホールセンサー７０と接触する。このように、ワォッシャ液の量に応じで移動するマグネット８０の上下に上下運動をすると、これをホールセンサー７０で感知した後、この感知信号が電気信号で出力されるため、ワォッシャ液が足りないことをワォッシャ液警告灯を介して知ることができる。
【００４３】
前述したような、水位センサーが付着されたワォッシャ液用モーターポンプで、ワォッシャ液の量に応じてワォッシャ液警告灯の色が変わってワォッシャ液がどの程度あるか知ることができるが、例えば、ワォッシャ液がワォッシャ液筒に満杯になると青色に、ワォッシャ液がワォッシャ液筒に２／３程度あれば橙色に、ワォッシャ液が少なければ赤色に変わって感知できる。
【００４４】
図面と明細書で最適の実施形態が開示され、ここで使われた用語は、単に本発明を説明するための目的で使われたものであり、意味限定や特許請求範囲に記載された本発明の範囲を制限するために使われたものではない。従って、本技術分野の通常の知識を有する者ならば、これから多様な変形及び均等な他の実施形態が可能であり、従って、本発明の真の技術的保護範囲は、添付された特許請求範囲の技術的思想によって定められなければならないであろう。        
【産業上の利用可能性】
【００４５】
前述したような、水位センサーが付着されたワォッシャ液用モーターポンプは、種々の車両はもちろん航空機に適用することができるので、その使用および適用対象の範囲は広い。
【図１】
2017536498.tif 000003
【図２】
2017536498.tif 000004
【図３】
2017536498.tif 000005
【図４】
2017536498.tif 000006
【図５】
2017536498.tif 000007
【図６】
2017536498.tif 000008
【図７】
2017536498.tif 000009
【図８】
2017536498.tif 000010
【図９】
2017536498.tif 000011
【国際調査報告】
2017536498.tif 000012
2017536498.tif 000013
2017536498.tif 000014
2017536498.tif 000015